(57)【特許請求の範囲】
【請求項１】
ルーバー装置に並設された複数のルーバー羽根を長手方向廻りに回動させて採光、遮光を行うためのモーターのカバーであって、該カバーは、その側断面が直角より稍大となるように天板部と前面部から構成されるとともに、遮光時に端部ルーバー羽根と重複するように上記カバー前面部中央部近傍に、長手方向全長に亘って遮光部が凸設され、かつ、上記モーターを支持するフレームと着脱自在に装着される、ルーバー装置用モーターのカバー構造であって、上記側断面が直角より稍大となるように天板部と前面部から構成されるカバーは、弾性を有する材料から構成されるとともに、その幅方向の天板部端部及び前面部端部に係合片が延設されており、この両係合片が、長手方向全長に亘って遮光部が凸設され且つ撓められたカバーの弾性反発力によってフレームに設けられた係合部に係合されることで、カバーがフレームによって支持される、ルーバー装置用モーターのカバー構造。
【請求項２】
上記遮光部の幅方向の長さは、複数のルーバー羽根が重複したときの重複幅以上とされた、請求項１記載のルーバー装置用モーターのカバー構造。
【請求項３】
上記カバーは、その前面部中央部近傍に設けられた遮光部より下の部分が裾広がりに側断面略円弧状部とされた、請求項１記載のルーバー装置用モーターのカバー構造。
【請求項４】
上記端部ルーバー羽根は上記遮光部の下方より回動し、この遮光部の裏側と重複するようにされた、請求項１記載のルーバー装置用モーターのカバー構造。
【発明の詳細な説明】
【０００１】
【発明の属する技術分野】
本発明は、窓や、天窓に設けて採光及び遮光を行うルーバー装置に関する。さらに詳しくは、上記ルーバー装置に用いられるルーバー羽根を長手方向廻りに回動するモーターのカバー構造に関する。
【０００２】
【従来の技術】
従来より、窓や、天窓から室内に射し込む直射日光等の光を遮るため、ルーバー装置を設けることが行なわれている。通常、上記窓等に設けるルーバー装置は、図４に示すように、ラダーテープ３によって懸装された複数の長い板状のルーバー羽根２ａ、２ｂ、２ｃ・・・を上下方向に設け、各ルーバー羽根２ａ、２ｂ、２ｃ・・・を、ラダーテープ３を介してそれぞれの長手方向廻りに回動させ、採光や遮光を行う。すなわち、ラダーテープ３を操作し、隣り合うルーバー羽根２ａ、２ｂ、２ｃ・・・間に隙間を形成させてこの隙間を通して採光したり、隣り合うルーバー羽根２ａ、２ｂ、２ｃ・・・を重複させ、上記隙間をなくすことで遮光を行っている。符号７は、各ルーバー羽根２ａ、２ｂ、２ｃ・・・を遊挿するガイドワイヤである。
【０００３】
上記ルーバー装置が通常の窓に設けられる場合、各ルーバー羽根２ａ、２ｂ、２ｃ・・・の長手方向廻りへの回動は、駆動軸５を駆動紐（図示せず）を用いて人力で回転、あるいは逆回転させ、下方で回転軸８によって回動自在に支持されたラダーテープ３を上下方向に移動することにより行われる。しかし、天窓等、高所にルーバー装置を設ける場合、駆動軸５の回転、逆回転は遠隔操作する方が便利で、かつ機能的であるため、モーターＭを使用することが多い。このとき、モーターＭを保護するカバー４１と、端部ルーバー２ａとの隙間から入射する光の光漏れを防止するため、上記カバー４１の下部には、庇部４１１が設けられている。図５は、庇部４１１を用いて、モーターＭを保護するカバー４１と、端部ルーバー２ａとの隙間から入射する光の光漏れを防止する公知技術を示した側断面図である。
【０００４】
【発明が解決しようとする課題】
しかしながら、図４、図５からよくわかるように、上記庇部４１１が、カバー４１の長手方向に亘って延設されているため、デザイン的に優れているとはいえず、また、図５に示されているように、モーターＭとモーターＭを保護するカバー４１とが一体的にフレーム６にビスＢによってビス留めされているため、組立やメンテナンス時に手間を要する等、作業性が悪いという問題がある。そこで、本発明は、デザイン性に優れるとともに、組立や取り外しに手間を要しない、上記ルーバー装置に用いられるモーターのカバー構造を提供することを、その課題とする。
【０００５】
【課題を解決するための手段】
上記課題を解決するために、本発明においては、つぎのような技術的手段を講じている。すなわち、本発明によれば、ルーバー装置に並設された複数のルーバー羽根を長手方向廻りに回動させて採光、遮光を行うためのモーターのカバーであって、該カバーは、その側断面が直角より稍大となるように天板部と前面部から構成されるとともに、遮光時に端部ルーバーと重複するように上記カバー前面部中央部近傍に、長手方向全長に亘って遮光部が凸設され、かつ、上記モーターを支持するフレームと着脱自在に装着されるルーバー装置用モーターのカバー構造が提供される。
【０００６】
上記カバーは、弾性を有する材料から構成されるとともに、その幅方向の天板部端部及び前面部端部に係合片が延設されており、この両係合片が、長手方向全長に亘って遮光部が凸設され且つ撓められたカバーの弾性反発力によってフレームに設けられた係合部に係合されることで、カバーがフレームによって支持されるものである。このようにすることによって上記係合片が、上記フレームに設けられた係合部に長手方向全長に亘って係合し、モーターのカバーを着脱自在に上記フレームに取り付けることができる。さらに、上記カバーには弾性が付与されているため、その反発力によって上記係合片と係合部とがしっかりと係合し、カバーは自立的にフレームによって支持される。
【０００７】
上記遮光部の幅方向の長さは、複数のルーバー羽根が重複したときの重複幅以上とされることが好ましい。このようにすることによって、端部ルーバーとカバーの間からの光漏れを防ぐことができる。また、カバーの前面部中央部近傍に設けられた遮光部より下の部分は、裾広がりに側断面略円弧状部とすることが好ましい。このようにすることによって、たとえ、光漏れが生じたとしても、入射光は室外へ反射されるため、室内への光漏れを防ぐことができる。また、端部ルーバー羽根は上記遮光部の下方より回動し、この遮光部の裏側と重複するようにすることが好ましい。このようにすることによって、端部ルーバー羽根とカバーの間からの光漏れをより完全に防ぐことができる。
【０００８】
【発明の実施の形態】
以下、本発明の好ましい実施の形態について、図面を参照してより詳細に説明する。図１は本発明にかかるルーバー装置用モーターのカバー構造を示す斜視図である。図１において、上記カバー１は、天板部１２と前面部１３から構成されるとともに、前面部１３の中央部近傍には、カバー１の長手方向全長に亘って遮光部１１が凸設されている。また、天板部１２の端部及び前面部１３の端部には、それぞれ、係合片１２１、１３１が延設されている。上記カバー１は、弾性を有する材料、例えば、プラスチックから構成され、天板部１２と前面部１３との間の角度Ｒは直角よりも稍大とされる。
【０００９】
図２は、モーターＭを支持するフレーム６に、本発明のルーバー装置用モーターのカバー構造を取り付け、使用する状態を示す側断面図である。図２からよくわかるように、カバー１は、その天板部１２及び前面部１３の端部に延設された係合片１２１及び１３１が、フレーム６に設けられた係合部６１及び６２と係合することにより、フレーム６によって支持される。このとき、天板部１２と前面部１３との間の角度Ｒが直角よりも稍大とされているため、カバー１を撓めて上記２ケ所で係合させたとき、カバー１の有する弾性により反発力が働き、カバー１はフレーム６にしっかりと支持される。モーター交換等、メンテナンス時には、再度カバー１を撓めて、上記２ケ所の係合部６１及び６２から、係合片１２１及び１３１の係合を解除し、カバー１をフレーム６から取り外せばよい。
【００１０】
図１に示す遮光部１１の幅方向の長さＬは、複数のルーバー羽根２ａ、２ｂ、２ｃ・・・が重複したときの重複幅以上とすることが好ましい。このようにすることによって、端部ルーバー羽根２ａを回動させたとき遮光部１１と重複し、端部ルーバー羽根２ａとカバー１の間からの光漏れを防ぐことができる。また、図２によく示されているように、カバー１の前面部１３に凸設された遮光部１１より下の部分は、たとえ、光漏れが生じても、入射光を反射して室内へ光が漏れないように、裾広がりに側断面略円弧状部Ｃとされている。
【００１１】
図２においては、端部ルーバー羽根２ａが遮光部１１の下方より回動し、遮光部１１の裏側と端部ルーバー羽根２ａとが重複する構成となっているが、図３に示すように、遮光部１１の上方より回動し、遮光部１１の表側と端部ルーバー羽根２ａとが重複する構成としてもよい。また、既述の説明において、モーターＭ、モーターＭを保護するカバー１等のルーバー駆動機構を、上部（水上側）に設ける場合について説明したが、下部（水下側）に設けても構わない。このように、本発明は種々に設計変更可能であり、いずれの場合も本発明の技術的範囲に含まれる。
【００１２】
【発明の効果】
以上述べたように、請求項１に記載の発明は、ルーバー装置に並設された複数のルーバー羽根を長手方向廻りに回動させて採光、遮光を行うためのモーターのカバーであって、該カバーは、その側断面が直角より稍大となるように天板部と前面部から構成されるとともに、遮光時に端部ルーバー羽根と重複するように上記カバー前面部中央部近傍に、長手方向全長に亘って遮光部が凸設され、かつ、上記モーターを支持するフレームと着脱自在に装着される、ルーバー装置用モーターのカバー構造である。上記のように構成することにより、デザイン性に優れているとともに、組立や取り外しに手間を要しない、上記ルーバー装置に用いられるモーターを保護するためのカバーを提供することができる。
【００１３】
更に、請求項１に記載の発明によれば、上記カバーは、弾性を有する材料から構成されるとともに、その幅方向の天板部端部及び前面部端部に係合片が延設されており、この両係合片が、長手方向全長に亘って遮光部が凸設され且つ撓められたカバーの弾性反発力によってフレームに設けられた係合部に係合されることで、カバーがフレームによって支持される。このように構成することにより、上記の効果に加え、上記係合片が上記フレームに設けられた係合部に長手方向全長に亘って係合し、モーターのカバーを上記フレームに着脱自在に取り付けることができる。また、上記カバーには弾性が付与されているため、その反発力によって上記係合片と係合部がしっかりと係合し、カバーをフレームによって支持することができる。
【００１４】
請求項２に記載の発明によれば、上記遮光部の幅方向の長さは、複数のルーバー羽根が重複したときの重複幅以上とされる。このようにすることによって、請求項１に記載の発明の効果に加え、端部ルーバーとカバーの間からの光漏れを防ぐことができる。
【００１５】
請求項３に記載の発明によれば、上記カバーは、その前面部中央部近傍に設けられた遮光部より下の部分が裾広がりに側断面略円弧状部とされる。このようにすることによって、請求項１に記載の発明の効果に加え、たとえ、光漏れが生じたとしても、入射光は室外へ反射されるため、室内への光漏れを防ぐことができる。
【００１６】
請求項４に記載の発明によれば、上記端部ルーバー羽根は上記遮光部の下方より回動し、この遮光部の裏側と重複するようにされる。このようにすることによって、請求項１に記載の発明の効果に加え、端部ルーバー羽根とカバーの間からの光漏れをより完全に防ぐことができる。
【図面の簡単な説明】
【図１】本発明にかかるルーバー装置用モーターのカバー構造を示す斜視図である。
【図２】本発明のルーバー装置用モーターのカバー構造の使用状態を示す側断面図である。
【図３】遮光部の表側と端部ルーバー羽根とが重複して光漏れを防ぐ状態を示す側断面図である。
【図４】公知のルーバー装置を示す斜視図である。
【図５】庇部により光漏れを防止する公知技術を示した側断面図である。
【符号の説明】
１          カバー
１１        遮光部
１２        カバー天板部
１２１      係合片
１３        カバー前面部
１３１      係合片
２ａ        端部ルーバー羽根
２ｂ        ルーバー羽根
２ｃ        ルーバー羽根
３          ラダーテープ
４１        公知のモーター用カバー
４１１      同上に設けられた庇部
５          駆動軸
６          フレーム
６１        係合部
６２        係合部
７          ガイドワイヤ
８          回転軸
Ｂ          ビス
Ｌ          遮光部幅方向の長さ
Ｍ          モーター
Ｒ          カバー天板部と前面部との間の角度
Ｃ          カバー前面部における円弧状部
【図１】
0004155741.tif 000002
【図２】
0004155741.tif 000003
【図３】
0004155741.tif 000004
【図４】
0004155741.tif 000005
【図５】
0004155741.tif 000006